(57)【要約】本発明は、高速通信サービスをサポートするためにデュアルモード無線トランシーバにおいて、送信機および受信機を機能的に分離する。高速通信での送信のみまたは高速通信での受信のみを必要とするような極めて非対称的なトランシーバへの機能的な要求がある。本発明におけるトランシーバは、高速通信で当該トランシーバからデータを送り出すための高速通信を行う送信機或いは高速通信で当該トランシーバにデータを取り込むための高速通信を行う受信機を備えることによって非対称的な要求を実現する。
2007508777.tif 000002
【特許請求の範囲】
【請求項１】
デュアルモード無線通信におけるトランシーバであって、
制御情報を交換するための双方向リンク（４０８）を確立する手段および、
前記トランシーバ（５００）が主にユーザ情報を送信する送信機である場合に、該ユーザ情報を送信するための単方向リンクに接続された高速データ（高速）送信機（５０６）または、
前記トランシーバ（５００）が主にユーザ情報を受信する受信機である場合に、該ユーザ情報を受信するための前記単方向リンクに接続された高速データ受信機（５５６）を含む
ことを特徴とするトランシーバ。
【請求項２】
高速リンク上での前記ユーザ情報の送信を支援するために、低速データ（低速）インタフェースを利用するリターン（応答）チャネルをさらに含むことを特徴とする請求項１に記載のトランシーバ。
【請求項３】
一方の方向において高速の物理チャネルによってデータリンク制御層の情報および媒体アクセス層の情報を伝送するための手段と、
既存の物理チャネルで逆方向に前記データリンク制御層の情報および前記媒体アクセス層の情報を伝送するための手段と
を含むことを特徴とする請求項１に記載のトランシーバ。
【請求項４】
高速送信機を備える前記デュアルモードのトランシーバは、
基本受信部（５０２）と、
基本送信部（５０４）と、
高速送信部（５０６）と
をさらに含むことを特徴とする請求項１に記載のトランシーバ。
【請求項５】
高速受信機を備える前記デュアルモードのトランシーバは、
基本受信部（５５４）と、
基本送信部（５５２）と、
高速受信部（５５６）と
をさらに含むことを特徴とする請求項１に記載のトランシーバ。
【請求項６】
データリンク制御（ＤＬＣ）層でフォワード方向の送信とリターン方向の送信とを分割するための手段をさらに含み、
前記トランシーバにおいて高速通信を行う高速部は、第１の媒体アクセス（ＭＡＣ）層で動作可能であり、かつ、前記低速通信を行う低速部は、第２の媒体アクセス（ＭＡＣ）層で動作可能であることを特徴とする請求項２に記載のトランシーバ。
【請求項７】
前記ＭＡＣ層でフォワード方向の送信とリターン方向の送信とを分割するための手段をさらに含み、
前記トランシーバにおいて高速通信を行う高速部は、第１の物理層（ＰＨＹ）で動作可能であり、かつ、前記低速通信を行う低速部は、第２の物理層（ＰＨＹ）で動作可能であることを特徴とする請求項２に記載のトランシーバ。
【請求項８】
前記トランシーバが低速チャネルを介して高速の送信に応答することを、前記高速チャネルを介して他のユーザに通知することを特徴とする請求項７に記載のトランシーバ。
【請求項９】
トランシーバを介して非対称的な通信を行う方法であって、
双方向のリンク上で制御情報を交換するステップと、
前記トランシーバが主にユーザ情報を送信する送信機である場合に、単方向のリンクを介して高速通信を行う送信機を利用してユーザ情報を送信するステップと、
前記トランシーバが主にユーザ情報を受信する受信機である場合に、前記単方向のリンクを介して高速通信を行う受信機を利用して前記ユーザ情報を受信するステップと
を含むことを特徴とする方法。
【請求項１０】
高速リンク上での前記ユーザ情報の送信を低速データ（低速）インタフェースを利用してリターンチャネルで支援するステップをさらに含むことを特徴とする請求項９に記載の方法。
【請求項１１】
一方の方向において高速の物理チャネルによってデータリンク制御層の情報および媒体アクセス層の情報を伝送するステップをさらに含み、
既存の物理チャネルは、逆方向に前記データリンク制御層の情報および媒体アクセス層の情報を伝送することを特徴とする請求項９に記載の方法。
【請求項１２】
高速送信機を備える前記デュアルモードのトランシーバは、
基本受信部において、狭帯域での送信信号を受信するステップと、
基本送信部において、狭帯域での送信信号を送信するステップと、
高速送信部において、広帯域での送信信号を送信するステップと
をさらに含むことを特徴とする請求項９に記載の方法。
【請求項１３】
高速受信機を備える前記デュアルモードのトランシーバは、
基本受信部において、狭帯域での送信を受信するステップと、
基本送信部において、狭帯域での送信を送信するステップと、
高速受信部において、広帯域での送信を受信するステップと
をさらに含むことを特徴とする請求項９に記載の方法。
【請求項１４】
データリンク制御（ＤＬＣ）層でフォワード方向の送信とリターン方向の送信とを分割するステップをさらに含み、
前記トランシーバにおいて高速通信を行う高速部は、第１の媒体アクセス（ＭＡＣ）層で動作可能であり、かつ、前記低速通信を行う低速部は、第２の媒体アクセス（ＭＡＣ）層で動作可能であることを特徴とする請求項１０に記載の方法。
【請求項１５】
前記ＭＡＣ層でフォワード方向の送信とリターン方向の送信とを分割するステップをさらに含み、
前記トランシーバにおいて高速通信を行う高速部は、第１の物理層で動作可能であり、かつ、前記低速通信を行う低速部は、第２の物理層で動作可能であることを特徴とする請求項１０に記載の方法。
【請求項１６】
前記トランシーバが低速通信チャネルを介して高速の送信に応答することを、前記高速チャネルを介して他のユーザに通知するステップをさらに含むことを特徴とする請求項１５に記載の方法。
【発明の詳細な説明】
【技術分野】
【０００１】
本発明は、データ通信の分野に関する。特に、本発明は、上りリンクおよび下りリンクにおいて、異なるチャネルを用いる無線通信に関する。
【背景技術】
【０００２】
ここ数十年において、無線および超大規模集積回路（ＶＬＳＩ）が進化したことで、消費者向けのアプリケーションに無線通信が大幅に使用されるようになってきた。移動無線装置のような携帯デバイスは、現在、無難なコスト、サイズおよび消費電力で生産されている。消費者市場における移動電話通信は、警察や救助活動のサービスから派生した電話システムから始まり、７０年代や８０年代に改良および最適化されたアナログ技術が基本となっている。
【０００３】
それらのアナログ電話システムの例には、ノルディックモバイル電話（ＮＭＴ）やトータル・アクセス通信システム（ＴＡＣＳ）がある。実際のところ、移動電話の利用は、デジタル技術を基礎とした移動電話システムの導入に伴い９０年代に開始された。これらのデジタル技術を基礎とした移動電話システムには、ＧＳＭ、Ｄ−ＡＭＰＳ、およびＰＤＣなどがある。一般的に、アナログシステムは、第１世代と呼ばれるのに対し、デジタルシステムは、第２世代と呼ばれる。
【０００４】
現在、第３世代システムが、開発され続けているところである。この第３世代のシステムは、２つの異なる開発経路に区別されうる。一方の開発経路では、前世代とは異なる技術に基づいた完全に新たなシステムを検討するものである。例えば、デジタル方式ではあるが、ヨーロッパ、アジアおよびアメリカで開発されているＵＭＴＳのような第３世代システムは、広帯域の送信技術を基礎としている。一方、ほとんどの第２世代システムは、狭帯域の送信技術を基礎としている。他方の開発経路では、現行の第２世代システムにおける高速データ通信（以下では、高速通信と同意義で使用される。）を検討するものである。この例としては、ＧＳＭやＤ−ＡＭＰＳに適用されるＥＤＧＥモードがある。後者において、第２世代システムは、高速通信モードを使用することで、第３世代のシステムへと更新される。
【０００５】
さらに高速のデータ通信のような専用の機能を追加することによって、現行のシステムを更新するといった一般的な傾向は、興味深いものである。なぜなら、制御や移動性をサポートするようなシステムの基本機能については、依然として、既存のシステムオペレーションを基礎として使用でき、専用のモードだけが新しい機能を使用すればよいからである。また、現行の携帯デバイスとの互換性も、保証されている。
【０００６】
専用の高速リンクを確立するための現状の解決方法における制限は、送信機および受信機の両方が高速データ通信をサポートする能力を有しなければならないことである。一見すると、多くのアプリケーションにおいて、高速データ通信が要望されているが、これがすべてというわけではない。すなわち、データ転送速度のさらなる向上は、一方の方向においてのみ要望されている。例えば、ラップトップがＢｌｕｅｔｏｏｔｈ（登録商標）のような短距離の無線リンクを介してプリンタにファイルをダウンロードする場合、データ転送速度の向上は、ラップトップからプリンタへの方向にのみ必要とされている。プリンタからラップトップへのリターン（応答）チャネルは、ベーシックデータリンク制御（ＤＬＣ）メッセージおよび信号制御に関する他のリンクをサポートすることだけが要求されるにすぎない。したがって、リターンチャネルは、容易に既存の無線リンクによってサポートされうる。プリンタのような情報受信装置は、高速通信で受信を行うための進化した受信機を備えることが望ましい。一方、プリンタのような情報受信装置は、単純なタイプの送信機を備えれば十分であろう。単純なタイプの送信機は、プリンタから見た送信方向において、低速のデータ通信（以下では、低速通信と同意義で使用される。）のみをサポートすればよい。一方、上述したような例は、典型的な情報送信装置にも当てはまる。
【０００７】
以下では、デジタルカメラを例として説明する。ユーザは、カメラから写真を高速で取り出すことを望んでいるが、カメラへ写真を高速で伝送することは望んでいない。したがって、カメラは、高速データ通信をサポートするための進化した送信機を備えることが望ましい。一方、受信機は、かなり単純であることが望ましい。高速通信を行う無線送信機の複雑さは、高速通信を行う無線受信機の複雑さとは非常に異なる。そのため、速度条件が非対称となっていることを考慮することで、高速モードを追加することの利点がさらに増大しよう。
【０００８】
したがって、速度条件に非対称性が存在する場合に、コストを低減するとともに、高速モードをサポートしうるシステムのための技術が必要とされている。
【発明の開示】
【発明が解決しようとする課題】
【０００９】
高速通信サービスをサポートするデュアルモード無線トランシーバにおいて、送信機の機能と受信機の機能とが、分離されている。既存の（低速通信）エア・インタフェースと高速通信のエア・インタフェースとの両方をサポートするために、無線トランシーバは、通常、両方の方式をサポートするように設計される。本発明は、高速通信での送信機能のみ、または高速通信での受信機能のみを必要とする極めて非対称的な条件を伴うシステムを対称としている。
【課題を解決するための手段】
【００１０】
既存のエア・インタフェースは、接続の確立、リンクの管理やその他など、既存のサポート機能のために使用される。さらに、高速通信を行う送信機は、（デジタル）カメラ或いはＣＤプレーヤのような典型的な送信機能型の端末において、高速データ通信で当該端末からデータを送出する機能（プッシュ機能）として当該端末に含まれる。一方、高速通信を行う受信機は、プリンタ或いはディスプレイのような典型的な受信機能型の端末において、高速データ通信で当該端末へデータを取り込む機能（プル機能）として当該端末に含まれる。両方のケースにおいて、高速通信リンク上で通信をサポートするフィードバックチャネルまたはリターンチャネルは、低速通信の無線インタフェース上で伝送される。これにより、受信側の端末に対して、（進化した）高速通信を行う送信機を実装することを回避しうる。一方、送信側の端末に対して、（進化した）高速通信を行う受信機を実装することを回避しうる。
【００１１】
より高いレベルでのメッセージ交換をサポートするために、開放型システム間相互接続（ＯＳＩ）モデルは、物理層で分割される。結果として、データリンク制御層（ＤＬＣ層）および媒体アクセス層（ＭＡＣ層）の情報は、高速物理チャネルにより一方向へ伝送される。一方、従来の物理チャネルは、ＤＬＣ層およびＭＡＣ層の情報を逆方向へ伝送する。
【発明を実施するための最良の形態】
【００１２】
以下では、図１から図８を参照して説明する。なお、本明細書において、本発明の本質を説明するために記載される様々な実施形態は、図示されている形態のみではない。すなわち、記載されている様々な実施形態は、本発明の範囲を限定するものではない。当業者は、本発明の本質が非対称的なデュアルモード無線通信におけるいくつかの適切に変形されたシステムに実装されてもよいということを理解するであろう。
【００１３】
無線通信装置は、大西洋を横断する最初の無線メッセージを送るために前世紀の変わり目に使用されていたマルコーニ製の無線通信装置と比較して大幅に改良されている。しかしながら、シリコン集積回路の出現に伴って、サイズ、消費電力および価格が格段に低減されてきたにも関わらず、基本的な無線トランシーバの機構は、それほど変化していない。図１は、対称的な使用方法における既存のシングルモードのトランシーバ１００を示す図である。情報は、入出力インタフェースを介してホストシステム（例えば、セルラー方式の電話、ＰＤＡまたはいくつかの他の電子装置）によって提供される。多くの現行のシステムにおいて、上記情報は、既にデジタルフォーマット化されている。
【００１４】
ＭＡＣ、ＤＬＣ制御部１０２は、無線インタフェースを介して伝送するために上記情報を加工する。例えば、追加制御情報は、誤り制御ビットの形式で付加される。追加制御情報は、媒体アクセス制御（ＭＡＣ）方式の型によって決められてもよい。また、規定時間内の適切なタイミングで、そのデータは、無線チャネル上に送信されるように準備される。ベースバンド制御装置１０４は、上記情報をパケット化し、デジタルビットは、ＲＦ送信に適した符号にマッピングされる（さらに、誤り制御情報が付加されてもよい。）。その後、このベースバンド信号は、無線送信部１０６に提供される。そこで、ベースバンド信号は、適切に加工されて適切なＲＦ周波数（例えば、０．５ＧＨｚから５ＧＨｚの間の範囲で）に変換される。さらに、ベースバンド信号は、電力増幅器（ＰＡ）１０７によって増幅され、アンテナ１０８によって送信される。
【００１５】
リターン（応答）パスにおいて、ＲＦ信号は、アンテナ１０８によって取り込まれる。取り込まれたＲＦ信号は、低雑音増幅器（ＬＮＡ）１１０によって増幅され、低周波に変換され、無線受信部１１２でフィルタリングされる。ベースバンド制御装置１１４は、時間的な調節および周波数同期がなされた状態で適用される。そこで、信号が取り出されて、ビットにマッピングされる。誤り訂正符号や同等な技術のみならず他の復号技術が適用されてもよい。その後、受信パケットのペイロードは、ＭＡＣ／ＤＬＣ制御装置１０２に提供される。ＭＡＣ／ＤＬＣ制御装置１０２では、ＤＬＣプロトコルによるチェックおよび処理がさらに適用される。最後に、受信情報は、入出力インタフェースに提供され、ホストシステムに提供される。
【００１６】
今日、多くのシステムは、例えば、高速データ通信を改良するために追加のモードなど、特定の機能が適用されている。一例として、ＧＳＭを基本とするセルラー方式の携帯電話には、パケット交換通信や高速データ通信のために追加されたＥＤＧＥモードが含まれる。他の例としては、Ｂｌｕｅｔｏｏｔｈがあり、高速通信モードが開発されている。ＧＳＭまたはＢｌｕｅｔｏｏｔｈにおけるトランシーバにおいて、基本の無線装置は、基本的なエア・インタフェースのみをサポートしているため、追加の回路構成は、高速通信モードをサポートしなければならない。例えば、ＧＳＭにおいて、基本的なＧＳＭのエア・インタフェースは、ＧＭＳＫを使用する。ＧＭＳＫは、クラスＣの送信機および制限付の受信機を実現可能な、定包絡の非線形変調方式である。一方、ＥＤＧＥは、より進化した無線送信機および無線受信機を必要とする線形の８値ＰＳＫ変調を使用する。同様に、基本的なＢｌｕｅｔｏｏｔｈのエア・インタフェースは、１ＭＨｚ帯域で定包絡の非線形変調方式であるＧＦＳＫ変調を採用しており、これにより、クラスＣの送信機および制限付の受信機を実現している。開発中の高速通信モードは、より線形な送信機および受信機を必要とする４ＭＨｚ帯域のＰＳＫ変調を使用する。
【００１７】
図２は、対称的な使用方法における既存のデュアルモードトランシーバを示す図である。回路２０２は、既存のエア・インタフェースをサポートしている。なお、回路２０２は、送信側でベースバンド送信部１および無線送信部１を含み、受信側でベースバンド受信部１および無線受信部１を含む。また、回路２０４は、高速データ通信をサポートする。なお、回路２０４は、送信側でベースバンド送信部２および無線送信部２を含み、受信側でベースバンド受信部２および無線受信部２を含む。どの通信モードが使用されるかに依存して、物理（ＰＨＹ）制御装置は、回路２０２または回路２０４を選択する。
【００１８】
実際に、多くのアプリケーションは、トラフィック動作が非常に非対称的となっている。図３ａは、一例として、デジタルカメラ３０２での非対称的な適用例を示す図である。デジタルカメラ３０２への入力は、ユーザによって撮影された写真である。また、ユーザは、撮影した写真をディスク記憶装置、ＰＣ３０４またはカラープリンタなどの他の媒体に取り込むために転送することを望むであろう。これは、デジタルカメラ３０２と上述した他の媒体との間で無線リンクを介して実現される。しかしながら、主要なデータの流れは、常にデジタルカメラ３０２から外部の媒体への方向となり、他の方向となることはない。
【００１９】
図３ｂは、他の例として、プリンタ３０８での非対称的な適用例を示す図である。ユーザは、印刷するために、ラップトップ、ＰＤＡ３０８、セルラー電話装置およびデジタルカメラ３０２のような携帯デバイスからプリンタ３０６へ無線通信によりデータを転送しうる。もちろん、プリンタ３０６から携帯デバイスへのデータ送信はない。そのため、基本的に、プリンタは、受信機のみを必要とする。しかし、不図示の情報受信装置における他の例では、セルラーネットワークを介してインターネットを閲覧するためのディスプレイを有するブラウザ装置がある。これらの主要なトラフィック（データ通信）は、ネットワークからブラウザへの通信であり、逆方向の通信はない。
【００２０】
これらの例は、トラフィックを処理するために送信機または受信機のみを必要とする多くのアプリケーションが存在することを示している。しかしながら、機能をサポートするためには、常に、双方向の接続が必要とされる。初期接続の確立の際に、当該接続における両端の装置は、チャネル、認証、暗号化や他の管理機能に関する情報を交換できることが必要とされる。また、データ通信において、自動再送プロトコルは、受信側で破棄されたメッセージを再送するためによく使用される。それらのサポート機能の全てが極めて高速なデータ通信に必要とされるわけではないが、何れかのユニットに結合された送信機または受信機は必要とされる。しかしながら、接続が確立されるとすぐに、高速通信リンクは、データの流れを速度アップさせるために一方向おいて採用されるようにしてもよい。リターン方向の制御情報は、（低速な）ベーシックリンク上で伝送されてもよい。
【００２１】
図４は、非対称な接続４００を行うデュアルモードを表す図である。制御リンク（Link_1 control）４０２は、ユニットＡ４０６およびユニットＢ４０４の間で制御情報の交換を行うための双方向リンクである。トラフィックリンク（Link_2 traffic）４０８は、ユニットＡ４０６からユニットＢ４０４へのユーザ情報を伝送するための単方向リンクである。この場合、ユニットＡ４０６およびユニットＢ４０４は、制御リンク４０２用の送信機および受信機の両方を必要とする。しかしながら、トラフィックリンク４０８用については、ユニットＡ４０６は、送信機のみを必要とし、ユニットＢ４０４は、受信機のみを必要とする。本実施形態によるユニットＡ４０６におけるデュアルモードトランシーバの機構の一例を図５ａに示す。
【００２２】
図５ａは、本実施形態による非対称的な使用における進化した送信機を備えるデュアルモードトランシーバ５００を示すブロック図である。図５に示すように、高速通信信号を処理するための進歩した受信回路である高速通信用の受信機「チェーン（ｃｈａｉｎ）」は、存在しない（すなわち、高速通信用および低速通信用の両方の受信機を含んで構成されていない。）。例えば、Ｂｌｕｅｔｏｏｔｈやその高速通信モードの場合に、受信部は、基本的なＢｌｕｅｔｏｏｔｈの受信機５０２のみを含む。受信機５０２は、制限付の非同期式に基づいている。高速通信モードをサポートするために、送信部のみが、より進化したシグナリング方式をサポートするように変更されることが必要とされる。図５ａのトランシーバ５００に示すように、ベーシック（基本的）な送信機５０４は、進化した送信機５０６によって機能が拡張される。
【００２３】
一方、図５ｂは、本実施形態による非対称的な使用における進化した受信機を備えるデュアルモードトランシーバ５５０を示すブロック図である。ここで、トランシーバ５５０には、リンク１のためのベーシックな送信機５５２のみが含まれる。ベーシックな受信機５５４および進化した受信機５５６の両方は、情報受信装置に実装されることとなる。Ｂｌｕｅｔｏｏｔｈの高速通信版向けの進化した受信機５５６は、線形であってもよく、この場合、等化処理技術や、他の進化した信号処理技術を使用することになろう。要するに、通常の使用方法に対応して、トランシーバに進化したエア・インタフェースの送信部または受信部を実装することで、デュアルモードトランシーバ５００、５５０の両方の実装においてコストを削減できるのである。
【００２４】
通信プロトコルは、通常、ＯＳＩ階層モデルに従って構成される。本発明において、ＯＳＩ階層モデルの下位層のみが考慮される（すなわち、アプリケーション層およびプレゼンテーション層については、言及しない。）図６は、ユニットＡおよびユニットＢのプロトコルスタックを示す図である。ユニットＡおよびユニットＢは、既存のデュアルモード無線機能をトランシーバに備えており、これは、リンク１およびリンク２上で双方向通信を実行することが想定されている。一方のユニットにおける各層は、他方のユニットの層にそれぞれ対応している。点線は、リンク１でサポートされるプロトコルを示し、実線は、リンク２でサポートされるプロトコルを示す。
【００２５】
図７は、本実施形態におけるユニットＡからユニットＢの方向のみで高速通信リンクを使用する当該ユニットＡおよび当該ユニットＢのプロトコルスタックを示す図である。詳細には、リンク２に対するリターンリンクは、リンク１の物理層１（PHY_1）およびＭＡＣ層１（MAC_1）の両方を適用する。この意味は、リンク２のトラフィックに関するいずれの制御情報（例えば、パケット認証情報）もリンク１によって伝送されるということである。また、リンク２にマッピングされている通信媒体上では、リターンリンクが全く見えないということを意味する。一例として、従来のＢｌｕｅｔｏｏｔｈにおける高速通信モードは、１ＭＨｚのチャネル帯域幅で周波数ホッピング方式を使用する。チャネルは、２．４ＧＨｚのＩＳＭバンドにおいて約８０ＭＨｚの範囲をホップする。従来文献（従来文献は、Ｊ．Ｃ．Ｈａａｒｔｓｅｎによる「不規則な周波数ホッピングにおける資源管理」を名称とする１９９９／８／３０に出願の米国特許６，５１９，４６０号公報）によれば、４ＭＨｚの固定チャネルを使用する高速通信モードが開示されている。この４ＭＨｚは、動的なチャネル選択アルゴリズムによって、２．４ＧＨｚのＩＳＭバンドにおける８０ＭＨｚ帯域内のいずれかに位置づけられている。図７における実施形態において、ユニットＡからユニットＢへのトラフィックは、４ＭＨｚ幅の広帯域チャネル上で伝送される。しかしながら、再送処理に関する対応の応答確認情報（Ａｃｋ）およびフロー制御情報は、周波数ホッピングチャネル上で伝送される。４ＭＨｚチャネルへのアクセスおよびＦＨチャネルへのアクセスは、完全に分離されている。したがって、ユニットＢにおいて、広帯域での受信のためのＭＡＣ２の機構と、リターンリンクにおける狭帯域での送信のためのＭＡＣ１の機構とは、完全に分離されている。これは、フォワードの流れとリターンの流れとが、ＤＬＣ層のレベルで分割されていることを意味する。同様に、ユニットＡにおいて、広帯域送信のためのＭＡＣ２の機構と、リターンにおける狭帯域受信のためのＭＡＣ１の機構とは、完全に分割されている。
【００２６】
図８は、本発明に係る他の実施形態による非対称的な使用法における進化した受信機を有するデュアルモードのトランシーバで低速モードと高速モードをサポートするＯＳＩ階層モデルを示す図である。本実施形態は、高速でのフォワード方向の送信と、ベーシックな速度でのリターン方向の送信との両方で、ＭＡＣプロトコルを使用するものである。しかしながら、物理層は、フォワードリンクとリターンリンクとで異なる。これは、リターンリンクは、フォワードリンクと同一の媒体および同一の接続技術を適用することを意味している。しかし、パケット化方式およびＲＦ変調方式については、高速通信およびベーシック速度の通信おける各物理層に対応するものが使用される。Ｂｌｕｅｔｏｏｔｈおよびその高速通信モードにおいて、これは、リターンリンクがフォワードリンクと同一の固定ＲＦ周波数を使用することを意味する。しかし、これは、リターンリンクが既存の狭帯域変調およびパケットを使用することも意味する。本実施形態において、送信および受信の流れは、ＭＡＣ層で分割する。
【００２７】
分散されたＭＡＣプロトコルが使用された場合、送信機および受信機両方の実施形態は、必要以上の複雑さをもたらすこととなる。なぜなら、高速通信チャネルを利用している他のユニットの高速通信用受信機が、リターンリンクにおける狭帯域の送信信号を復号できないからである。これは、ユニットＢが高速通信チャネルに対して低速通信チャネルで応答するという事実を、高速通信チャネルを介して他のユーザに通知することによって解消される。各ユニットは、リターンチャネルで受信できるようにするためにベーシックモードへ切り替えることができる。或いは、各ユニットは、リターンメッセージが通信媒体を占有する継続時間を考慮に入れてもよい。
【００２８】
上述したように、本発明は、非対称なデュアルモードトランシーバに係る。本トランシーバは、ベーシックな（基本）速度または低速の通信で送信および受信を実行できるが、高速通信に関しては、受信のみまたは送信のみを実行できる。高速通信チャネル上で送信される情報に関連するフィードバック情報または制御情報は、低速通信チャネルによって伝送される。本発明は、受信のみを行うアプリケーションにおいて複雑な送信機を省き、コストを低減しうる。一方、本発明は、送信のみを行うアプリケーションにおいて、複雑な受信機を省くことでコストを低減しうる。
【００２９】
以上説明したように、本発明における無線装置は、リターンリンクの情報を既存の受信機で受信する一方で、わずかな追加実装コストで、高速通信での情報送信を可能としうる。
【図面の簡単な説明】
【００３０】
【図１】対称的に使用される既存のシングルモードのトランシーバを示すブロック図である。
【図２】対称的に使用される既存のデュアルモードのトランシーバを示すブロック図である。
【図３ａ】情報送信装置としてカメラでの非対称的な適用例を示す図である。
【図３ｂ】情報受信装置としてプリンタでの非対称的な適用例を示す図である。
【図４】非対称な接続を行うデュアルモードを表す図である。
【図５ａ】本実施形態による非対称的な使用における進化した送信機を備えるデュアルモードのトランシーバを示すブロック図である。
【図５ｂ】本実施形態による非対称的な使用における進化した受信機を備えるデュアルモードのトランシーバを示すブロック図である。
【図６】低速通信および高速通信モードにおける既存の開放型システム間相互接続（ＯＳＩ）階層モデルを示す図である。
【図７】本実施形態による非対称的な使用における進化した送信機を備えるデュアルモードのトランシーバでの低速通信および高速通信モードをサポートするためのＯＳＩ階層モデルを示す図である。
【図８】本実施形態による非対称的な使用における進化した受信機を備えるデュアルモードのトランシーバでの低速通信および高速通信モードをサポートするためのＯＳＩ階層モデルを示す図である。
【図１】
2007508777.tif 000003
【図２】
2007508777.tif 000004
【図３ａ】
2007508777.tif 000005
【図３ｂ】
2007508777.tif 000006
【図４】
2007508777.tif 000007
【図５ａ】
2007508777.tif 000008
【図５ｂ】
2007508777.tif 000009
【図６】
2007508777.tif 000010
【図７】
2007508777.tif 000011
【図８】
2007508777.tif 000012
【国際調査報告】
2007508777.tif 000013
2007508777.tif 000014
2007508777.tif 000015